(57)【要約】【課題】長辺支持部材及び短辺支持部材への位置決めリブの組付け位置を変更することにより、共通の支持部材と位置決めリブで、外形寸法が異なる少なくとも二種類の液晶パネルの位置決めを行うことができる液晶モジュールを提供する。【解決手段】セルガイド７（長辺支持部材）及びランプフレーム５（短辺支持部材）の支持面に、長辺の寸法及び短辺の寸法がそれぞれ異なる少なくとも二種類の液晶パネルの外形に対応して、リブ組付け用凹部１１ａ，１１ｂをそれぞれの位置決めリブ１０について少なくとも二箇所ずつ形成し、それぞれの位置決めリブ１０を位置決めすべき液晶パネルの外形に対応したリブ組付け用凹部１１ａ又は１１ｂに組付けて、液晶パネルの位置決めを行うようにした液晶モジュールとする。【選択図】図５
2012053119.tif 000002
【特許請求の範囲】
【請求項１】
液晶パネルの相対向する長辺を長辺支持部材でそれぞれ支持し、長辺支持部材に設けた位置決めリブで液晶パネルの短辺方向の位置決めをすると共に、液晶パネルの相対向する短辺を短辺支持部材でそれぞれ支持し、短辺支持部材に設けた位置決めリブで液晶パネルの長辺方向の位置決めをした液晶モジュールにおいて、
位置決めリブを長辺支持部材及び短辺支持部材とは別個に作製し、長辺支持部材及び短辺支持部材のそれぞれの支持面に、長辺の寸法及び短辺の寸法がそれぞれ異なる少なくとも二種類の液晶パネルの外形に対応して、リブ組付け用凹部をそれぞれの位置決めリブについて少なくとも二箇所ずつ形成し、それぞれの位置決めリブを位置決めすべき液晶パネルの外形に対応したリブ組付け用凹部に組付けて、液晶パネルの位置決めをしたことを特徴とする液晶モジュール。
【請求項２】
長辺支持部材及び短辺支持部材のそれぞれの支持面に複数の座繰部を形成して各座繰部ごとにリブ組付け用凹部を少なくとも二つずつ形成し、位置決めリブの下面に突設した脚部をリブ組付け用凹部に嵌め込むと共に位置決めリブの下部を座繰部に嵌め込んで、位置決めリブを組付けたことを特徴とする請求項１に記載の液晶モジュール。
【請求項３】
長辺支持部材がリアフレームの長辺沿いの側板の先端に取付けられるセルガイドであり、短辺支持部材がリアフレームの短辺沿いに取付けられるランプフレームであることを特徴とする請求項１又は請求項２に記載の液晶モジュール。
【発明の詳細な説明】
【技術分野】
【０００１】
本発明は、テレビ、パソコンその他の電子機器に組み込まれる液晶モジュールに関し、更に詳しくは、位置決めリブの組付け位置を変更することによって、外形寸法が異なる少なくとも二種類の液晶パネルの位置決めを行うことができるように改良した液晶モジュールに関する。
【背景技術】
【０００２】
従来の一般的な液晶モジュールは、液晶パネルの相対向する長辺を支持する長辺支持部材の支持面と、液晶パネルの相対向する短辺を支持する短辺支持部材の支持面に、複数の位置決めリブを一体形成し、長辺支持部材の位置決めリブで液晶パネルの短辺方向の位置決めをすると共に、短辺支持部材の位置決めリブで液晶パネルの長辺方向の位置決めをしている。
【０００３】
一方、第一ガイドレールに沿って一の方向に移動可能な第一棒状部を含む第一位置決め部材と、第二ガイドレールに沿って一の方向と異なる方向に移動可能な第二棒状部を含む第二位置決め部材とを基体に配置し、第一位置決め部材と第二位置決め部材によって表示パネルを枠体の所望位置に取付けることができるようにした表示パネルの取付装置が知られている（特許文献１）。
【０００４】
また、下フレームの周縁の一部に凹陥部を形成し、光学シートの突出部の貫通穴に挿通されて光学シートの位置を規制すると共に液晶パネルを位置決めする柱状部材を凹陥部に設け、外径が異なる円筒状スリーブを柱状部材に装着することによって、外形寸法が異なる液晶パネルを位置決めできるようにした液晶表示装置も知られている（特許文献２）。
【０００５】
また、液晶パネルの角部に面取り端面を形成し、バックライトフレームに突起を設けて、この突起を面取り端面に係合させることにより、液晶パネルを位置決めした液晶表示装置も知られている（特許文献３）。
【先行技術文献】
【特許文献】
【０００６】
【特許文献１】特開２００６−２４３４６９号公報
【特許文献２】特開２００２−１９６３１２号公報
【特許文献２】特開２０００−１９５１１号公報
【発明の概要】
【発明が解決しようとする課題】
【０００７】
しかしながら、従来の液晶モジュールのように、長辺支持部材と短辺支持部材にそれぞれ一体成形された位置決めリブで液晶パネルを位置決めする場合は、液晶パネルの外形寸法（長辺と短辺の寸法）が変わると、その外形寸法に合わせて位置決めリブを一体形成した長辺支持部材と短辺支持部材を使用しなければならないため、新たに長辺支持部材と短辺支持部材を設計してその金型を製作することが必要になり、コストアップを招くという問題がある。
【０００８】
一方、前記特許文献１の表示パネルの取付装置は、表示パネルの取付位置を変えることはできるが、外形寸法の異なる表示パネルを取付けることはできず、また、前記特許文献３の液晶表示装置も、外形寸法の異なる液晶パネルを位置決めすることはできない。
【０００９】
これに対し、前記特許文献２の液晶表示装置は、外径が異なる円筒状スリーブを柱状部材に装着することによって、外形寸法の異なる液晶パネルを位置決めすることはできるが、外径が異なる少なくとも二種類の円筒状スリーブが必要となるので、部品の種類が増えてコストアップを招くという問題がある。
【００１０】
本発明は上記事情の下になされたもので、その解決しようとする課題は、長辺支持部材及び短辺支持部材への位置決めリブの組付け位置を変更することにより、共通の支持部材と位置決めリブとで、外形寸法が異なる少なくとも二種類の液晶パネルの位置決めを行うことができる液晶モジュールを提供することにある。
【課題を解決するための手段】
【００１１】
上記課題を解決するため、本発明に係る液晶モジュールは、液晶パネルの相対向する長辺を長辺支持部材でそれぞれ支持し、長辺支持部材に設けた位置決めリブで液晶パネルの短辺方向の位置決めをすると共に、液晶パネルの相対向する短辺を短辺支持部材でそれぞれ支持し、短辺支持部材に設けた位置決めリブで液晶パネルの長辺方向の位置決めをした液晶モジュールにおいて、
位置決めリブを長辺支持部材及び短辺支持部材とは別個に作製し、長辺支持部材及び短辺支持部材のそれぞれの支持面に、長辺の寸法及び短辺の寸法がそれぞれ異なる少なくとも二種類の液晶パネルの外形に対応して、リブ組付け用凹部をそれぞれの位置決めリブについて少なくとも二箇所ずつ形成し、それぞれの位置決めリブを位置決めすべき液晶パネルの外形に対応したリブ組付け用凹部に組付けて、液晶パネルの位置決めをしたことを特徴とするものである。
【００１２】
本発明の液晶モジュールでは、長辺支持部材及び短辺支持部材のそれぞれの支持面に複数の座繰部を形成して各座繰部ごとにリブ組付け用凹部を少なくとも二つずつ形成し、位置決めリブの下面に突設した脚部をリブ組付け用凹部に嵌め込むと共に位置決めリブの下部を座繰部に嵌め込んで、位置決めリブを組付けることが好ましい。
また、長辺支持部材はリアフレームの長辺沿いの側板の先端に取付けられるセルガイドであり、短辺支持部材はリアフレームの短辺沿いに取付けられるランプフレームであることが好ましい。
【発明の効果】
【００１３】
本発明の液晶モジュールは、長辺支持部材と短辺支持部材のそれぞれの支持面に、外形寸法（長辺の寸法及び短辺の寸法）が異なる少なくとも二種類の液晶パネルの外形に対応して、リブ組付け用凹部が各位置決めリブについて少なくとも二箇所ずつ形成されているので、位置決めすべき液晶パネルの外形に対応したリブ組付け用凹部にそれぞれの位置決めリブを組付けることによって、外形寸法が異なる少なくとも二種類の液晶パネルの位置決めを行うことができる。従って、従来の液晶モジュールのように、液晶パネルの外形寸法が変わる度に、その外形寸法に合わせて位置決めリブを一体形成した長辺支持部材と短辺支持部材を使用しなくてもよいので、新たに長辺支持部材と短辺支持部材を設計してその金型を製作することが不要になり、コストアップをなくすことができる。
【００１４】
また、長辺支持部材及び短辺支持部材のそれぞれの支持面に複数の座繰部を形成して各座繰部ごとにリブ組付け用凹部を少なくとも二つずつ形成し、位置決めリブの下面に突設した脚部をリブ組付け用凹部に嵌め込むと共に位置決めリブの下部を座繰部に嵌め込んで、位置決めリブを組付けてあると、位置決めリブの組付け安定性が良いので、液晶モジュールの組立作業中に位置決めリブが脱落する心配がなく、また、組立後に衝撃を受けた場合でも簡単に脱落する心配はない。
【００１５】
そして、長辺支持部材が前記のセルガイドであり、短辺支持部材が前記のランプフレームであると、液晶パネルの長辺と短辺を確実に支持することができ、リブ組付け用凹部も容易に形成することができる。
【図面の簡単な説明】
【００１６】
【図１】本発明の一実施形態に係る液晶モジュールの分解斜視図である。
【図２】同液晶モジュールの正面図である。
【図３】図２のＡ−Ａ線拡大部分断面図である。
【図４】図２のＢ−Ｂ線拡大部分断面図である。
【図５】位置決めリブを組付ける前のランプフレームの部分拡大斜視図である。
【図６】（ａ）は外形寸法が小さい液晶パネルに対応するリブ組付け用凹部に位置決めリブを組付けた断面図、（ｂ）は外形寸法が大きい液晶パネルに対応するリブ組付け用凹部に位置決めリブを組付けた断面図である。
【発明を実施するための形態】
【００１７】
図１〜図４に示す実施形態の液晶モジュールは、リアフレーム１、光反射シート２、Ｕ字状の冷陰極管３、ランプホルダー４、ランプフレーム５、光学シート６ａ，６ｂ、セルガイド７、液晶パネル８、ベゼル構成部材９１，９１，９２，９２を方形枠状に連結したベゼル９などの主要構成部品によって組み立てられている。
【００１８】
リアフレーム１は板金製の浅い箱型のフレームであって、その内部には、逆台形状に折り曲げられた光反射シート２が設けられている。この光反射シート２の上には、複数本（この実施形態では２本）のＵ字状の冷陰極管３が平行に配設されており、それぞれの冷陰極管３のＵ字状屈曲端部と中央部がランプホルダー４で保持されてリアフレーム１の底板１ｂに固定されている。
【００１９】
冷陰極管３のＵ字状屈曲端部と反対側の端部にはゴム製のランプソケット３ａが取付けられており、これらのランプソケット３ａは、リアフレーム１の左右いずれか片側の側板１ａ（この実施形態では右側の側板）に沿ってリアフレーム１の底板１ｂに形成されたソケット嵌着口（図には表れていない）に嵌着されて、そのリード線３ｂがリアフレーム１の背後に引き出されている。そして、リアフレーム１の短辺に沿った左右の側板１ａ，１ａの内側には合成樹脂製のランプフレーム５，５が取付けられており、これらのランプフレーム５，５によって、明るさのバラツキが生じないようにＵ字状冷陰極管３のランプソケット３ａを取付けた端部とＵ字状屈曲端部がそれぞれ覆われている。
【００２０】
図１，図３に示すように、リアフレーム１の長辺に沿った側板１ｃ，１ｃはいずれも逆Ｕ字状に折り曲げられて二重側板とされており、この二重側板１ｃ，１ｃの上面には２枚の光学シート６ａ，６ｂの長辺沿いの端縁が載置されて、合成樹脂製のセルガイド７，７で押えられている。そして、光学シート６ａ，６ｂの短辺沿いの端縁（左右の端縁）は、図４に示すように、ランプフレーム５，５の受け溝５ａに挿入されている。これらの光学シート６ａ，６ｂは、Ｕ字状冷陰極管３からの直射光や光反射シート２で反射された反射光を拡散して液晶パネル８を背後から均一に照らす光拡散シートであって、上側の光学シート６ｂは薄い光拡散シートであるが、下側の光学シート６ａは撓みにくい厚手の光拡散シート（光拡散板）が使用されている。
【００２１】
上記のランプフレーム５，５とセルガイド７，７の上には液晶パネル８の四辺が載置されており、ランプフレーム５，５は液晶パネル８の相対向する短辺を支持する短辺支持部材としての役割を果たし、セルガイド７，７は液晶パネル８の相対向する長辺を支持する長辺支持部材としての役割を果たしている。この液晶パネル８は、後で詳しく説明するように、ランプフレーム５，５の支持面の両端近傍箇所に組付けられた位置決めリブ１０によって長辺方向に移動しないように位置決めされると共に、セルガイド７，７の支持面の両端近傍箇所に組付けられた位置決めリブ１０によって短辺方向に移動しないように位置決めされている。そして、４本のベゼル構成部材９１，９１，９２，９２を方形枠状に連結したベゼル９で液晶パネル８の四周縁を囲繞し、ベゼル９の四隅をリアフレームにネジ止めして、液晶モジュールを組み立てている。
【００２２】
尚、図１，図３において、８ｂはチップオンフィルム８ａを介して液晶パネル８の長辺に接続されたＸ−ＰＣＢ（Ｘ−配線基板）であり、このＸ−ＰＣＢ８ｂはセルガイド７の側面に取付けられている。
【００２３】
この液晶モジュールの大きい特徴は、位置決めリブ１０をランプフレーム５（短辺支持部材）及びセルガイド７（長辺支持部材）とは別個に作製し、ランプフレーム５及びセルガイド７のそれぞれの支持面に、外形寸法（長辺の寸法及び短辺の寸法）がそれぞれ異なる少なくとも二種類の液晶パネル８の外形に対応して、図５に示すようなリブ組付け用凹部１１ａ，１１ｂを一つの位置決めリブ１０について少なくとも二箇所ずつ形成し、それぞれの位置決めリブ１０を位置決めすべき液晶パネル８の外形に対応したリブ組付け用凹部１１ａ又は１１ｂに組付けて、液晶パネル８の位置決めをしている点にある。
【００２４】
即ち、この実施形態の液晶モジュールにおいては、ランプフレーム５の支持面（上面）の両端近傍箇所に、図５に示すような方形の座繰部１２を形成し、各座繰部１２の底面に溝型のリブ組付け用凹部１１ａ，１１ｂを二つずつ形成している。そして、外形寸法が小さい方の液晶パネル８の位置決めをする場合は、図６の（ａ）に示すように、小さい方の液晶パネル８の外形に対応しているリブ組付け用凹部１１ａに、位置決めリブ１０の下面から突設した脚部１０ａを嵌め込むと共に、位置決めリブ１０の下部を座繰部１２に嵌め込んで、位置決めリブ１０を組付けることにより、また、外形寸法が大きい方の液晶パネル８の位置決めをする場合は、図６の（ｂ）に示すように、大きい方の液晶パネル８の外形に対応しているリブ組付け用凹部１１ｂに位置決めリブ１０の脚部１０ａを嵌め込むと共に、位置決めリブ１０の下部を座繰部１２に嵌め込んで、位置決めリブ１０を組付けることにより、外形寸法が大小異なる二種類の液晶パネルのいずれであっても、長辺方向に位置ズレしないように位置決めすることが可能となっている。
【００２５】
また、図示はしていないが、セルガイド７の支持面（上面）の両端近傍箇所にも、図５に示すような方形の座繰部１２と溝型のリブ組付け用凹部１１ａ，１１ｂが形成されており、上記と同様に、位置決めすべき液晶パネル８の外形に対応している方のリブ組付け用凹部１１ａ又は１１ｂに、位置決めリブ１０の脚部１０ａを嵌め込むと共に、位置決めリブ１０の下部を座繰部１２に嵌め込んで、位置決めリブ１０を組付けることでより、外形寸法が大小異なる二種類の液晶パネルのいずれであっても、短辺方向に位置ズレしないように位置決めすることが可能となっている。
【００２６】
上記のように、位置決めリブ１０の脚部１０ａをリブ組付け用凹部１１ａ又は１１ｂに嵌め込むと共に、位置決めリブ１０の下部を座繰部１２に嵌め込んで位置決めリブ１０を組付けると、位置決めリブ１０の組付け安定性が良いため、位置決めリブ１０が脱落し難くなる。特に、この実施形態の位置決めリブ１０は、図５，図６に示すように、その下部を側方（液晶パネル８の方）に向かって突出させ、この突出させた下部１０ｂに液晶パネル８の端部を載置した状態で位置決めを行うようにしているため、位置決めリブ１０がリブ組付け用凹部１１ａ又は１１ｂから抜け出そうとしても、突出させた下部１０ｂが液晶パネル８の端部に下方から係合して、位置決めリブ１０の抜け出しを確実に防止できるようになっている。
【００２７】
この実施形態の液晶モジュールでは、リブ組付け用凹部を二つずつ形成しているが、外形寸法が異なる三種類以上の液晶パネルに対応して、リブ組付け用凹部を三つずつ以上形成すれば、外形寸法が異なる三種類以上の液晶パネルの位置決めを行うことが可能となる。また、リブ組付け用凹部は、セルガイド（長辺支持部材）の両端近傍箇所と中間の数箇所において少なくとも二つずつ形成してもよい。
【００２８】
以上の説明から理解できるように、本発明の液晶モジュールは、長辺支持部材（セルガイド）及び短辺支持部材（ランプフレーム）への位置決めリブの組付け位置を変更することで、外形寸法が異なる二種類以上の液晶パネルの位置決めを行うことができるので、従来の液晶モジュールのように、液晶パネルの外形寸法が変わる度に、その外形寸法に対応した位置決めリブを有する長辺支持部材と短辺支持部材を新たに設計しその金型を製作することが不要になり、コストアップをなくすことができる。
【符号の説明】
【００２９】
１    リアフレーム
２    光反射シート
３    Ｕ字状の冷陰極管３
５    ランプフレーム（短辺支持部材）
６ａ，６ｂ  光学シート
７    セルガイド（長辺支持部材）
８    液晶パネル
９    ベゼル
１０  位置決めリブ
１０ａ  位置決めリブの脚部
１０ｂ  位置決めリブの突出させた下部
１１ａ，１１ｂ  リブ組付け用凹部
１２  座繰部
【図１】
2012053119.tif 000003
【図２】
2012053119.tif 000004
【図３】
2012053119.tif 000005
【図４】
2012053119.tif 000006
【図５】
2012053119.tif 000007
【図６】
2012053119.tif 000008